(57)【要約】【課題】電流の検出精度の安定化を図ること。【解決手段】サービスプラグ１のプラグ受け部品２０のプラグ受けハウジング２４に設け、プラグ受け部品のプラグ受け側端子２１の電流を検出する電流検出部品５０を備え、電流検出部品は、プラグ受け側端子をＵ字状のコア主体５１ａにおける内方の電流検出位置に配置させることで、プラグ受け側端子に流れる電流に応じた磁束を発生させる磁気コア部材５１と、コア主体のギャップ部５１ｂにおける磁束密度に応じた信号を出力する磁気センサ５２と、を備え、コア主体がＵ字状に沿って覆われるＵ字状のコア収容部６１は、サービスプラグのプラグ部品１０のプラグ側端子１１とプラグ受け側端子とが嵌合接続されているときに、プラグ受け側端子を備えるコネクタ２３の端子ハウジング２２の少なくとも一部を内方で囲いつつ保持し、プラグ受け側端子を電流検出位置に配置させること。【選択図】図３
2020128935.tif 000002
【特許請求の範囲】
【請求項１】
プラグ部品のプラグハウジングが挿入嵌合されるプラグ受け部品のプラグ受けハウジングに設け、前記プラグハウジングと前記プラグ受けハウジングとが嵌合状態のときに前記プラグ部品のプラグ側端子に嵌合接続される前記プラグ受け部品のプラグ受け側端子の電流を検出する電流検出部品を備え、
前記プラグ部品及び前記プラグ受け部品は、各々、前記プラグハウジングと前記プラグ受けハウジングとが嵌合状態のときに前記プラグ側端子と前記プラグ受け側端子とが嵌合接続されて電源回路を閉回路とし、かつ、前記プラグハウジングと前記プラグ受けハウジングとが抜去状態のときに前記プラグ側端子と前記プラグ受け側端子とが引き離されて前記電源回路を開回路とするサービスプラグが備える着脱自在な部品であり、
前記電流検出部品は、前記プラグ受け側端子をＣ環状又はＵ字状のコア主体における内方の電流検出位置に配置させることで、前記プラグ受け側端子に流れる電流に応じた磁束を発生させる磁気コア部材と、前記コア主体のギャップ部における磁束密度に応じた信号を出力する磁気センサと、を備え、
前記コア主体が前記Ｃ環状又は前記Ｕ字状に沿って覆われる環状又はＵ字状のコア収容部は、前記プラグ側端子と前記プラグ受け側端子とが嵌合接続されているときに、前記プラグ受け側端子を備えるコネクタの端子ハウジングの少なくとも一部を内方で囲いつつ保持し、前記プラグ受け側端子を前記電流検出位置に配置させることを特徴とした電流センサ。
【請求項２】
前記コア収容部と前記端子ハウジングとの間には、前記プラグ受け側端子が前記電流検出位置に配置された状態で前記端子ハウジングを前記コア収容部に保持させるコネクタ保持構造を設けることを特徴とした請求項１に記載の電流センサ。
【請求項３】
前記電流検出部品を収容し、前記プラグ受けハウジングに固定される絶縁性の筐体を備え、
前記コア収容部は、前記筐体がその一部として有するものであり、前記筐体が前記プラグ受けハウジングに固定され、かつ、前記プラグ側端子と前記プラグ受け側端子とが嵌合接続されているときに、前記端子ハウジングの少なくとも一部を内方で囲いつつ保持し、前記プラグ受け側端子を前記電流検出位置に配置させることを特徴とした請求項１又は２に記載の電流センサ。
【請求項４】
プラグ側端子、並びに、前記プラグ側端子を収容及び保持するプラグハウジングが設けられたプラグ部品と、
プラグ受け側端子を備えるコネクタ、並びに、前記コネクタを収容及び保持するプラグ受けハウジングが設けられたプラグ受け部品と、
前記プラグ受け側端子の電流を検出する電流検出部品が設けられた電流センサと、
を備え、
前記プラグ部品及び前記プラグ受け部品は、各々、前記プラグハウジングと前記プラグ受けハウジングとが嵌合状態のときに前記プラグ側端子と前記プラグ受け側端子とが嵌合接続されて電源回路を閉回路とし、かつ、前記プラグハウジングと前記プラグ受けハウジングとが抜去状態のときに前記プラグ側端子と前記プラグ受け側端子とが引き離されて前記電源回路を開回路とする着脱自在な部品であり、
前記電流検出部品は、前記プラグ受け側端子をＣ環状又はＵ字状のコア主体における内方の電流検出位置に配置させることで、前記プラグ受け側端子に流れる電流に応じた磁束を発生させる磁気コア部材と、前記コア主体のギャップ部における磁束密度に応じた信号を出力する磁気センサと、を備え、
前記コア主体が前記Ｃ環状又は前記Ｕ字状に沿って覆われる環状又はＵ字状のコア収容部は、前記プラグ側端子と前記プラグ受け側端子とが嵌合接続されているときに、前記コネクタにおける端子ハウジングの少なくとも一部を内方で囲いつつ保持し、前記プラグ受け側端子を前記電流検出位置に配置させることを特徴としたサービスプラグ。
【発明の詳細な説明】
【技術分野】
【０００１】
本発明は、電流センサ及びサービスプラグに関する。
【背景技術】
【０００２】
従来、回転機を駆動源とする車両（電気自動車やハイブリッド自動車等）においては、電源回路に高電圧回路が用いられており、その電源回路を介した回転機への安定した給電や回転機からの安定した電力回生を行うべく、電源回路を流れる電流が監視されている。その電流の監視には、電源回路上の導電部材（電線等）に流れる電流を測定する電流センサが用いられる。電流センサは、電流検出位置に配置された導電部材の電流に応じた磁束を発生させる磁気コア部材と、この磁気コア部材の磁束に応じた信号を出力する磁気検出素子（ホール素子等）と、を備える（下記の特許文献１）。車両においては、その電流の検出結果に基づいて、電源回路に関わる部品のメンテナンス作業等が実施される。その電源回路上には、作業を始める前に電源回路を遮断し、作業を終えた後で電源回路を復帰させるサービスプラグが設けられている（下記の特許文献２）。
【先行技術文献】
【特許文献】
【０００３】
【特許文献１】特開２０１４−１０９５１８号公報
【特許文献２】特開２０１７−１６９１５号公報
【発明の概要】
【発明が解決しようとする課題】
【０００４】
ところで、電流センサは、電源回路にて、例えば、電線の配索経路上や電気接続箱に設置されている。しかしながら、電流センサを電線の配索経路上に設置した場合には、その電線の屈曲等で電線が電流検出位置からずれてしまうと、電流の検出精度を低下させてしまう可能性がある。また、電流センサを電気接続箱に設置した場合には、その電気接続箱にリレー等の磁界の発生源が存在していると、その発生した磁界によって電流の検出精度を低下させてしまう可能性がある。
【０００５】
そこで、本発明は、電流の検出精度の安定化を図り得る電流センサ及びサービスプラグを提供することを、その目的とする。
【課題を解決するための手段】
【０００６】
上記目的を達成する為、本発明に係る電流センサは、プラグ部品のプラグハウジングが挿入嵌合されるプラグ受け部品のプラグ受けハウジングに設け、前記プラグハウジングと前記プラグ受けハウジングとが嵌合状態のときに前記プラグ部品のプラグ側端子に嵌合接続される前記プラグ受け部品のプラグ受け側端子の電流を検出する電流検出部品を備え、前記プラグ部品及び前記プラグ受け部品は、各々、前記プラグハウジングと前記プラグ受けハウジングとが嵌合状態のときに前記プラグ側端子と前記プラグ受け側端子とが嵌合接続されて電源回路を閉回路とし、かつ、前記プラグハウジングと前記プラグ受けハウジングとが抜去状態のときに前記プラグ側端子と前記プラグ受け側端子とが引き離されて前記電源回路を開回路とするサービスプラグが備える着脱自在な部品であり、前記電流検出部品は、前記プラグ受け側端子をＣ環状又はＵ字状のコア主体における内方の電流検出位置に配置させることで、前記プラグ受け側端子に流れる電流に応じた磁束を発生させる磁気コア部材と、前記コア主体のギャップ部における磁束密度に応じた信号を出力する磁気センサと、を備え、前記コア主体が前記Ｃ環状又は前記Ｕ字状に沿って覆われる環状又はＵ字状のコア収容部は、前記プラグ側端子と前記プラグ受け側端子とが嵌合接続されているときに、前記プラグ受け側端子を備えるコネクタの端子ハウジングの少なくとも一部を内方で囲いつつ保持し、前記プラグ受け側端子を前記電流検出位置に配置させることを特徴としている。
【０００７】
ここで、前記コア収容部と前記端子ハウジングとの間には、前記プラグ受け側端子が前記電流検出位置に配置された状態で前記端子ハウジングを前記コア収容部に保持させるコネクタ保持構造を設けることが望ましい。
【０００８】
また、前記電流検出部品を収容し、前記プラグ受けハウジングに固定される絶縁性の筐体を備え、前記コア収容部は、前記筐体がその一部として有するものであり、前記筐体が前記プラグ受けハウジングに固定され、かつ、前記プラグ側端子と前記プラグ受け側端子とが嵌合接続されているときに、前記端子ハウジングの少なくとも一部を内方で囲いつつ保持し、前記プラグ受け側端子を前記電流検出位置に配置させることが望ましい。
【０００９】
また、上記目的を達成する為、本発明に係るサービスプラグは、プラグ側端子、並びに、前記プラグ側端子を収容及び保持するプラグハウジングが設けられたプラグ部品と、プラグ受け側端子を備えるコネクタ、並びに、前記コネクタを収容及び保持するプラグ受けハウジングが設けられたプラグ受け部品と、前記プラグ受け側端子の電流を検出する電流検出部品が設けられた電流センサと、を備え、前記プラグ部品及び前記プラグ受け部品は、各々、前記プラグハウジングと前記プラグ受けハウジングとが嵌合状態のときに前記プラグ側端子と前記プラグ受け側端子とが嵌合接続されて電源回路を閉回路とし、かつ、前記プラグハウジングと前記プラグ受けハウジングとが抜去状態のときに前記プラグ側端子と前記プラグ受け側端子とが引き離されて前記電源回路を開回路とする着脱自在な部品であり、前記電流検出部品は、前記プラグ受け側端子をＣ環状又はＵ字状のコア主体における内方の電流検出位置に配置させることで、前記プラグ受け側端子に流れる電流に応じた磁束を発生させる磁気コア部材と、前記コア主体のギャップ部における磁束密度に応じた信号を出力する磁気センサと、を備え、前記コア主体が前記Ｃ環状又は前記Ｕ字状に沿って覆われる環状又はＵ字状のコア収容部は、前記プラグ側端子と前記プラグ受け側端子とが嵌合接続されているときに、前記コネクタにおける端子ハウジングの少なくとも一部を内方で囲いつつ保持し、前記プラグ受け側端子を前記電流検出位置に配置させることを特徴としている。
【発明の効果】
【００１０】
本発明に係る電流センサは、サービスプラグのプラグ受け部品に設け、そのプラグ受け部品のプラグ受け側端子を電流の検出対象物とするものであるので、電流検出位置に対するプラグ受け側端子の位置ずれを抑えることができる。このため、本発明に係る電流センサは、電流の検出精度の安定化を図ることができる。本発明に係るサービスプラグは、このような電流センサを具備するものである。よって、本発明に係るサービスプラグは、その電流センサが奏する効果を同様に得ることができる。
【図面の簡単な説明】
【００１１】
【図１】図１は、実施形態の電流センサとサービスプラグを示す斜視図である。
【図２】図２は、実施形態の電流センサとサービスプラグを示す分解斜視図である。
【図３】図３は、図１のＸ−Ｘ線断面図である。
【図４】図４は、図２のＸ−Ｘ線断面図である。
【図５】図５は、プラグ側端子の斜視図である。
【図６】図６は、電流センサを示す斜視図である。
【図７】図７は、電流センサとプラグ受けハウジングの分解斜視図である。
【図８】図８は、電流センサとプラグ受けハウジングを別角度から見た分解斜視図である。
【図９】図９は、電流センサとプラグ受けハウジングの組付け状態を示す斜視図である。
【図１０】図１０は、電流センサとコネクタの分解斜視図である。
【図１１】図１１は、電流センサとコネクタの組付け状態を示す斜視図である。
【発明を実施するための形態】
【００１２】
以下に、本発明に係る電流センサ及びサービスプラグの実施形態を図面に基づいて詳細に説明する。尚、この実施形態によりこの発明が限定されるものではない。
【００１３】
［実施形態］
本発明に係る電流センサ及びサービスプラグの実施形態の１つを図１から図１１に基づいて説明する。本実施形態では、電流センサをサービスプラグに設ける。このため、以下においては、サービスプラグの説明を進めつつ、その中で電流センサの説明を行う。
【００１４】
図１から図４に示す符号１は、本実施形態のサービスプラグを示す。また、図１から図４に示す符号４０は、本実施形態の電流センサを示す。
【００１５】
サービスプラグ１は、回転機を駆動源とする車両（電気自動車やハイブリッド自動車等）の高電圧の電源回路上に設置される。そして、このサービスプラグ１は、その電源回路に関わる部品のメンテナンス作業等を実施する際に電源回路を遮断させ、かつ、そのメンテナンス作業等を終えた後で電源回路を復帰させるために利用される。このため、このサービスプラグ１は、電源回路を閉回路と開回路との間で切り替え可能なものとして構成する。
【００１６】
サービスプラグ１は、着脱自在なプラグ部品１０とプラグ受け部品２０とを備える（図１から図４）。このサービスプラグ１においては、プラグ部品１０とプラグ受け部品２０とが嵌合状態のときに電源回路が閉回路となり、プラグ部品１０とプラグ受け部品２０とが抜去状態のときに電源回路が開回路となる。
【００１７】
プラグ部品１０は、プラグ側端子１１と、このプラグ側端子１１を収容及び保持するプラグハウジング１２と、を備える（図３及び図４）。一方、プラグ受け部品２０は、プラグ受け側端子２１及び端子ハウジング２２を備えるコネクタ２３と、このコネクタ２３を収容及び保持するプラグ受けハウジング２４と、を備える（図３及び図４）。プラグ側端子１１とプラグ受け側端子２１は、その内の一方を雌端子形状に形成し、その内の他方を雄端子形状に形成する。この例示では、プラグ側端子１１を雄端子形状に形成し、プラグ受け側端子２１を雌端子形状に形成している。また、プラグハウジング１２は、プラグ受けハウジング２４の内方に挿入嵌合されるものとして形成する。
【００１８】
このプラグ部品１０とプラグ受け部品２０は、プラグハウジング１２とプラグ受けハウジング２４とが嵌合状態のときにプラグ側端子１１とプラグ受け側端子２１とが嵌合接続されて電源回路を閉回路とし、かつ、プラグハウジング１２とプラグ受けハウジング２４とが抜去状態のときにプラグ側端子１１とプラグ受け側端子２１とが引き離されて電源回路を開回路とする。
【００１９】
この例示のプラグ部品１０は、２つの雄タブ状のプラグ側端子１１を有する１つの端子金具１１Ａを備える（図３及び図５）。その端子金具１１Ａにおいては、２つのプラグ側端子１１を互いに間隔を空けて同じ向きに突出させている。それぞれのプラグ側端子１１は、接続対象のプラグ受け側端子２１に対して各々同じ方向に沿って挿入嵌合させる。
【００２０】
プラグハウジング１２は、合成樹脂等の絶縁性材料で成形する。このプラグハウジング１２においては、その内方に、端子金具１１Ａを収容し且つ保持する収容空間１２ａが形成されている（図２から図４）。その収容空間１２ａは、プラグ側端子１１毎の端子収容室１２ｂを有する。
【００２１】
この例示のプラグ受け部品２０は、一方のプラグ側端子１１に嵌合接続させるコネクタ２３と、他方のプラグ側端子１１に嵌合接続させるコネクタ又は端子金具（図示略）と、を備える（図１から図４）。尚、一方のプラグ側端子１１と他方のプラグ側端子１１は、必ずしも同じ形状のものでなくてもよい。また、他方のプラグ側端子１１に対応させてコネクタを設ける場合、その図中で省略しているコネクタは、コネクタ２３と略同等の構成及び形状のものとすればよい。
【００２２】
コネクタ２３は、一方のプラグ側端子１１に嵌合接続させるプラグ受け側端子２１と、このプラグ受け側端子２１を収容及び保持する端子ハウジング２２と、を備える（図３及び図４）。端子ハウジング２２は、合成樹脂等の絶縁性材料で成形する。この端子ハウジング２２においては、その内方に、プラグ受け側端子２１を収容し且つ保持する収容空間２２ａが形成されている。コネクタ２３においては、その収容空間２２ａでプラグ受け側端子２１に対して電線Ｗｅが加締め圧着等で物理的且つ電気的に接続されており、その電線Ｗｅが収容空間２２ａの外に引き出されている。このコネクタ２３は、プラグ部品１０とプラグ受け部品２０とが嵌合状態のときに、端子ハウジング２２をプラグハウジング１２の端子収容室１２ｂに挿入嵌合させることによって、プラグ受け側端子２１にプラグ側端子１１を挿入嵌合させる。
【００２３】
プラグ受けハウジング２４は、合成樹脂等の絶縁性材料で成形する。このプラグ受けハウジング２４は、その内方に、一方のコネクタ２３を収容し且つ保持する第１コネクタ収容室２４ａと、他方のコネクタを収容し且つ保持する第２コネクタ収容室２４ｂと、プラグ部品１０のプラグハウジング１２が挿入嵌合されるプラグ収容室２４ｃと、が形成されている（図２）。
【００２４】
サービスプラグ１は、そのプラグ部品１０とプラグ受け部品２０との間に、プラグ部品１０のプラグ受け部品２０への挿入嵌合作業と、プラグ部品１０のプラグ受け部品２０からの抜去作業と、を補助するレバー部材３０を備える（図１から図４）。この例示では、所謂ＬＩＦ（Light  Insertion  Force）レバーとしてのレバー部材３０をプラグハウジング１２とプラグ受けハウジング２４との間に配置し、サービスプラグ１をＬＩＦコネクタの如く構成している。
【００２５】
このサービスプラグ１は、プラグ受け側端子２１の電流を検出し、その検出結果を電子制御装置等（図示略）に送信する電流センサ４０を備える。電流センサ４０は、プラグ側端子１１とプラグ受け側端子２１とが嵌合接続されているときにプラグ受け側端子２１に流れる電流の検出を行う。この電流センサ４０は、その電流の検出を行う電流検出部品５０を備える（図２、図３及び図６）。
【００２６】
ここで、この電流センサ４０は、プラグ受け部品２０に設ける。例えば、電流センサ４０は、プラグ受け部品２０の構成部品の１つとして設けてもよい。この場合には、例えば、電流検出部品５０を金型内に収めてプラグ受けハウジング２４をインサート成形すればよい。よって、この場合、後述するコア収容部６１は、プラグ受けハウジング２４の一部分として形成される。また、電流センサ４０は、プラグ受け部品２０とは別の部品として用意し、このプラグ受け部品２０に取り付けてもよい。ここでは、プラグ受け部品２０とは別の部品として用意された電流センサ４０を例示している。よって、この例示の電流センサ４０は、電流検出部品５０が収容される筐体６０を備えている（図２、図３及び図６）。
【００２７】
電流検出部品５０は、プラグ受け側端子２１をＣ環状又はＵ字状のコア主体５１ａにおける内方の電流検出位置に配置させることで、プラグ受け側端子２１に流れる電流に応じた磁束を発生させる磁気コア部材５１と、コア主体５１ａのギャップ部５１ｂにおける磁束密度に応じた信号を出力する磁気センサ５２と、を備える（図６）。
【００２８】
磁気コア部材５１は、フェライト等の磁性材料で成形される。この磁気コア部材５１においては、コア主体５１ａの内方にコネクタ２３を挿通させることによって、このコア主体５１ａが内方で間隔を空けてプラグ受け側端子２１を囲い、このコア主体５１ａの内方でプラグ受け側端子２１をギャップ部５１ｂに対して対向配置させている。プラグ受け側端子２１においては、ギャップ部５１ｂに対して対向配置されている部分が電流の測定対象の部位（以下、「電流測定対象部」という。）となる。例えば、このプラグ受け側端子２１においては、プラグ側端子１１との嵌合接続部分を電流測定対象部として利用してもよく、電線Ｗｅとの接続部分を電流測定対象部として利用してもよい。
【００２９】
この磁気コア部材５１においては、コア主体５１ａにおけるＣ環状のスリット部分又はコア主体５１ａにおけるＵ字状の開口部分がギャップ部５１ｂとなる。この例示の磁気コア部材５１は、Ｕ字状のコア主体５１ａを有している。
【００３０】
磁気センサ５２は、磁気検出素子を有するセンサ本体５２ａと、信号の出力を担う導電性のリード線５２ｂと、を備える（図６）。
【００３１】
この例示では、磁気センサ５２としてホールＩＣ（Integrated  Circuit）を用いる。ホールＩＣは、図示しないが、磁気検出素子としてのホール素子と、このホール素子の出力信号を増幅させるアンプ回路と、を備える。センサ本体５２ａは、そのホール素子とアンプ回路を内包している。ホール素子は、磁束密度に応じたホール電圧の信号（出力信号）を出力する。例えば、このホール素子は、プラグ受け側端子２１の電流測定対象部に対して所定の間隔を空けた位置に設ける。ここでは、そのようなホール素子の配置が為されるように、ギャップ部５１ｂに磁気センサ５２のセンサ本体５２ａを配置している。この磁気センサ５２においては、ギャップ部５１ｂの磁束密度に応じたホール電圧の信号をホール素子が出力し、その出力信号をアンプ回路で増幅する。この磁気センサ５２においては、その増幅された出力信号をリード線５２ｂから出力する。
【００３２】
この電流検出部品５０は、回路基板５３を備える（図３及び図６）。その回路基板５３には、リード線５２ｂと出力端子５４とが接続されている（図３及び図６）。リード線５２ｂと出力端子５４は、回路基板５３の回路パターンを介して電気接続されている。出力端子５４は、例えば、電子制御装置側の相手方コネクタが備える相手方端子（図示略）に電気接続される。よって、リード線５２ｂから出力された出力信号は、出力端子５４を介して電子制御装置等に送信される。
【００３３】
筐体６０は、合成樹脂等の絶縁性材料で成形する。この筐体６０は、その一部として、コア主体５１ａが収容されるコア収容部（第１収容部）６１を有している（図１から図３及び図６）。また、この筐体６０は、磁気センサ５２と回路基板５３と出力端子５４とが収容される出力側収容部（第２収容部）６２を有している（図１から図３及び図６）。出力側収容部６２には、電子制御装置側の相手方コネクタが嵌合接続されるコネクタ部６２ａが形成されている。
【００３４】
この筐体６０は、プラグ受けハウジング２４に固定される。この例示の筐体６０は、プラグ受けハウジング２４のセンサ収容室２４ｄ（図１から図４）に収容され且つ保持される。よって、筐体６０とプラグ受けハウジング２４との間には、複数箇所に筐体保持構造が設けられている。この例示では、コア収容部６１とプラグ受けハウジング２４との間に第１筐体保持構造７１を１つ設け、出力側収容部６２とプラグ受けハウジング２４との間に第２筐体保持構造７２を２つ設けている（図７から図９）。
【００３５】
第１筐体保持構造７１は、コア収容部６１に設けた第１コア係止体７１ａと、プラグ受けハウジング２４に設け、第１コア係止体７１ａに係止させることによってコア収容部６１をプラグ受けハウジング２４に収容状態で保持させる第２コア係止体７１ｂと、を備える（図２、図３及び図７から図９）。
【００３６】
例えば、この第１筐体保持構造７１は、第１コア係止体７１ａと第２コア係止体７１ｂの内の少なくとも一方が爪部を有し、その爪部を相手方に係止させるものとして構成する。
【００３７】
この例示では、第１コア係止体７１ａを爪部として２箇所に形成している（図２及び図７から図９）。この例示の第１コア係止体７１ａは、コア収容部６１の外周面から突出させている。その２つの第１コア係止体７１ａは、コア収容部６１の外周面の周方向に間隔を空けて並べられている。一方、この例示の第２コア係止体７１ｂは、可撓性を持つ片持ちの片体状で、かつ、それぞれの第１コア係止体７１ａが挿入され、この挿入されたそれぞれの第１コア係止体７１ａを周縁部で係止することが可能な貫通孔７１ｂ１を有するものとして形成する（図２、図３及び図７から図９）。ここでは、第１コア係止体７１ａ毎に貫通孔７１ｂ１を設けている。
【００３８】
第２コア係止体７１ｂは、自由端側に作用させた力で自由端と固定端との間を撓ませることができる。このため、この第１筐体保持構造７１においては、コア収容部６１をセンサ収容室２４ｄへと収容する際に、それぞれの第１コア係止体７１ａが第２コア係止体７１ｂの片体部分を乗り越えてそれぞれの貫通孔７１ｂ１に入り込む。更に、この第１筐体保持構造７１においては、コア収容部６１をセンサ収容室２４ｄから抜き取る際に第２コア係止体７１ｂを撓ませることによって、第１コア係止体７１ａと貫通孔７１ｂ１の周縁部との間の係止状態を解除させることができる。
【００３９】
第２筐体保持構造７２は、出力側収容部６２に設けた第１出力側係止体７２ａと、プラグ受けハウジング２４に設け、第１出力側係止体７２ａに係止させることによって出力側収容部６２をプラグ受けハウジング２４に収容状態で保持させる第２出力側係止体７２ｂと、を備える（図２、図７及び図８）。
【００４０】
例えば、この第２筐体保持構造７２は、第１出力側係止体７２ａと第２出力側係止体７２ｂの内の少なくとも一方が爪部を有し、その爪部を相手方に係止させるものとして構成する。
【００４１】
この例示では、第１出力側係止体７２ａを爪部として形成している（図２及び図８）。この例示の第１出力側係止体７２ａは、出力側収容部６２の外周面から突出させている。一方、この例示の第２出力側係止体７２ｂは、可撓性を持つ片持ちの片体状で、かつ、第１出力側係止体７２ａが挿入され、この挿入された第１出力側係止体７２ａを周縁部で係止することが可能な貫通孔７２ｂ１を有するものとして形成する（図２及び図８）。
【００４２】
第２出力側係止体７２ｂは、自由端側に作用させた力で自由端と固定端との間を撓ませることができる。このため、この第２筐体保持構造７２においては、出力側収容部６２をセンサ収容室２４ｄへと収容する際に、第１出力側係止体７２ａが第２出力側係止体７２ｂの片体部分を乗り越えて貫通孔７２ｂ１に入り込む。更に、この第２筐体保持構造７２においては、出力側収容部６２をセンサ収容室２４ｄから抜き取る際に第２出力側係止体７２ｂを撓ませることによって、第１出力側係止体７２ａと貫通孔７２ｂ１の周縁部との間の係止状態を解除させることができる。
【００４３】
コア収容部６１は、コア主体５１ａをコア主体５１ａの形状に合わせて覆っている部位である。このコア収容部６１は、コア主体５１ａがＣ環状の場合、そのＣ環状に沿ってコア主体５１ａを覆うことが可能な環状に形成し、コア主体５１ａがＵ字状の場合、そのＵ字状に沿ってコア主体５１ａを覆うことが可能なＵ字状に形成する。ここでは、Ｕ字状のコア主体５１ａを形成している。
【００４４】
このコア収容部６１は、プラグハウジング１２とプラグ受けハウジング２４との嵌合接続に伴って、プラグ側端子１１とプラグ受け側端子２１とが嵌合接続されているときに、コネクタ２３の端子ハウジング２２の少なくとも一部を内方で囲いつつ保持し、プラグ受け側端子２１を電流検出部品５０における電流検出位置に配置させる。この例示では、筐体６０がコア収容部６１を有している。このため、この例示のコア収容部６１は、筐体６０がプラグ受けハウジング２４に固定され、かつ、プラグ側端子１１とプラグ受け側端子２１とが嵌合接続されているときに、端子ハウジング２２の少なくとも一部を内方で囲いつつ保持し、プラグ受け側端子２１を電流検出部品５０における電流検出位置に配置させる。
【００４５】
ここで、そのコア収容部６１と端子ハウジング２２との間には、プラグ受け側端子２１が電流検出位置に配置された状態で端子ハウジング２２をコア収容部６１に保持させるコネクタ保持構造７３を設ける（図１、図２、図１０及び図１１）。そのコネクタ保持構造７３は、コア収容部６１に設けた第１コネクタ係止体７３ａと、端子ハウジング２２に設け、第１コネクタ係止体７３ａに係止させることによってプラグ受け側端子２１が電流検出位置に配置された状態で端子ハウジング２２をコア収容部６１に保持させる第２コネクタ係止体７３ｂと、を備える（図１０及び図１１）。
【００４６】
例えば、このコネクタ保持構造７３は、第１コネクタ係止体７３ａと第２コネクタ係止体７３ｂの内の少なくとも一方が爪部を有し、その爪部を相手方に係止させるものとして構成する。
【００４７】
この例示では、第２コネクタ係止体７３ｂに爪部７３ｂ１を設けている（図２）。この例示の第２コネクタ係止体７３ｂは、爪部７３ｂ１と可撓部７３ｂ２とを有している（図２及び図１０）。可撓部７３ｂ２は、可撓性を持つ片持ちの片体状に形成し、自由端側に作用させた力で自由端と固定端との間を撓ませることができる。爪部７３ｂ１は、その可撓部７３ｂ２の自由端と固定端との間に配置している。一方、この例示の第１コネクタ係止体７３ａは、爪部７３ｂ１が挿入され、この挿入された爪部７３ｂ１を周縁部で係止することが可能な貫通孔としてコア収容部６１に形成する。ここでは、その第１コネクタ係止体７３ａに対向配置され、かつ、この第１コネクタ係止体７３ａと共に爪部７３ｂ１が挿入される貫通孔５１ｃがコア主体５１ａに形成されている（図６、図１０及び図１１）。つまり、このコネクタ保持構造７３においては、貫通孔たる第１コネクタ係止体７３ａとコア主体５１ａの貫通孔５１ｃのそれぞれの周縁部に爪部７３ｂ１が係止される。
【００４８】
このコネクタ保持構造７３においては、コネクタ２３を第１コネクタ収容室２４ａへと収容する際に、可撓部７３ｂ２が爪部７３ｂ１を介してコア収容部６１の内周面から受けた力で撓み、その爪部７３ｂ１がコア収容部６１の内周面を乗り越えて貫通孔たる第１コネクタ係止体７３ａとコア主体５１ａの貫通孔５１ｃに入り込む。更に、このコネクタ保持構造７３においては、コネクタ２３を第１コネクタ収容室２４ａから抜き取る際に可撓部７３ｂ２を撓ませることによって、爪部７３ｂ１と第１コネクタ係止体７３ａの周縁部との間及び爪部７３ｂ１とコア主体５１ａの貫通孔５１ｃの周縁部との間の係止状態を解除させることができる。
【００４９】
以上示したように、本実施形態の電流センサ４０は、サービスプラグ１のプラグ受け部品２０に設けられ、そのプラグ受け部品２０のプラグ受け側端子２１とプラグ部品１０のプラグ側端子１１とが嵌合接続されているときに、そのプラグ受け側端子２１を電流検出部品５０における電流検出位置に配置させるので、プラグ受け側端子２１に流れる電流を検出することができる。このように、本実施形態の電流センサ４０は、プラグ受け部品２０に設け、そのプラグ受け部品２０のプラグ受け側端子２１を電流の検出対象物とするものであるので、電流検出位置に対するプラグ受け側端子２１の位置ずれを抑えることができる。このため、本実施形態の電流センサ４０は、電流の検出精度の安定化を図ることができる。また、本実施形態の電流センサ４０は、サービスプラグ１のプラグ受け部品２０に設けられており、そのサービスプラグ１には磁界の発生源が存在していないので、この点からも電流の検出精度の安定化を図ることができる。また、本実施形態の電流センサ４０は、コア収容部６１とコネクタ２３の端子ハウジング２２との間がコネクタ保持構造７３によって保持されるので、電流検出位置に対するプラグ受け側端子２１の位置ずれ抑制効果を高めることができ、電流の検出精度の更なる安定化を図ることができる。また、本実施形態の電流センサ４０は、コア収容部６１とプラグ受けハウジング２４との間が第１筐体保持構造７１によって保持されるので、電流検出位置に対するプラグ受け側端子２１の位置ずれ抑制効果を高めることができ、電流の検出精度の更なる安定化を図ることができる。
【００５０】
更に、本実施形態の電流センサ４０は、第１筐体保持構造７１と第２筐体保持構造７２とによって、プラグ受けハウジング２４に対する着脱が可能になっている。そして、この電流センサ４０は、コネクタ保持構造７３によって、自らに対するコネクタ２３（プラグ受け側端子２１）の着脱が可能になっている。このように、本実施形態の電流センサ４０は、プラグ受け部品２０に対しての着脱を容易に行えるものとなっている。よって、本実施形態の電流センサ４０は、自らの点検作業や交換作業を行う際の作業性に優れたものとなっている。
【００５１】
本実施形態のサービスプラグ１は、このような電流センサ４０を具備するものである。よって、本実施形態のサービスプラグ１は、その電流センサ４０が奏する効果を同様に得ることができる。
【符号の説明】
【００５２】
１  サービスプラグ
１０  プラグ部品
１１  プラグ側端子
１２  プラグハウジング
２０  プラグ受け部品
２１  プラグ受け側端子
２２  端子ハウジング
２３  コネクタ
２４  プラグ受けハウジング
４０  電流センサ
５０  電流検出部品
５１  磁気コア部材
５１ａ  コア主体
５１ｂ  ギャップ部
５２  磁気センサ
６０  筐体
６１  コア収容部
７３  コネクタ保持構造
【図１】
2020128935.tif 000003
【図２】
2020128935.tif 000004
【図３】
2020128935.tif 000005
【図４】
2020128935.tif 000006
【図５】
2020128935.tif 000007
【図６】
2020128935.tif 000008
【図７】
2020128935.tif 000009
【図８】
2020128935.tif 000010
【図９】
2020128935.tif 000011
【図１０】
2020128935.tif 000012
【図１１】
2020128935.tif 000013